(57)【特許請求の範囲】
【請求項１】
ヘッドマウントディスプレイデバイスであって、記憶ユニットと、表示ユニットと、検出ユニット、判断ユニットと、取得ユニットと、調整ユニットと、瞳孔検出ユニットとを備え、
前記記憶ユニットは調整記録を記憶するように構成され、前記調整記録は、ジオプトリー及び／又は瞳孔間距離に対応する調整パラメータ、およびユーザの特徴情報を含み、
前記表示ユニットは、二組の表示モジュールを含み、各表示モジュールは、マイクロディスプレイデバイスと、前記マイクロディスプレイデバイスに接続する光学モジュールとを含み、
前記検出ユニットは、ユーザの特徴を検出し、検出したユーザの特徴によってアクティブ信号を動作させるように構成され、
前記判断ユニットは、前記アクティブ信号に応じて前記記憶ユニットにおいて対応する調整記録があるか否かを判断し、前記記憶ユニットにおいて対応する調整記録がある場合、クエリ要求を動作させるように構成され、
前記取得ユニットは、前記クエリ要求に応じて前記記憶ユニットに対応する調整記録を問い合わせ、対応する調整パラメータを取得するように構成され、
前記調整ユニットは、取得した調整パラメータによって駆動信号を生成し、前記マイクロディスプレイデバイスとそれに対応する光学モジュールとの間の距離を調整するように構成され、
前記瞳孔検出ユニットは、ユーザの瞳孔間距離を検出して瞳孔間距離の調整パラメータを生成するように構成され、
前記調整ユニットは、前記瞳孔検出ユニットによる瞳孔間距離の調整パラメータによって駆動信号を生成し、二組の表示モジュールの間の距離を調整し、
前記検出ユニットは前記調整ユニットによる二組の表示モジュールの間の距離の調整の後に前記ユーザの特徴を検出し、前記判断ユニットは前記ユーザの特徴によって前記記憶ユニットにおいて前記ユーザの特徴を含むユーザの特徴情報があるか否かを判断する、
ことを特徴とするヘッドマウントディスプレイデバイス。
【請求項２】
新しい調整記録を獲得するように構成される獲得ユニットをさらに備え、
前記判断ユニットは、前記記憶ユニットにおいて対応する調整記録がないと判断した場合、獲得ユニットを動作させるように構成される、
ことを特徴とする請求項１に記載のヘッドマウントディスプレイデバイス。
【請求項３】
前記ユーザの特徴情報は、ユーザ識別及び／又は音声記録及び／又は指紋記録及び／又は顔記録及び／又は虹彩記録を含む、
ことを特徴とする請求項１に記載のヘッドマウントディスプレイデバイス。
【請求項４】
前記獲得ユニットが新しい調整記録を獲得することは、その時点での前記マイクロディスプレイデバイスとそれに対応する光学モジュールとの間の距離及び／又は二組の表示モジュールの間の距離を獲得し、調整パラメータに変換することを含む、
ことを特徴とする請求項２に記載のヘッドマウントディスプレイデバイス。
【請求項５】
前記新しい調整記録を記憶ユニットに保存するように構成される保存ユニットをさらに含む、
ことを特徴とする請求項４に記載のヘッドマウントディスプレイデバイス。
【請求項６】
前記調整ユニットは、前記取得ユニットが取得するジオプトリーの調整パラメータによって駆動信号を生成し、前記マイクロディスプレイデバイスとそれに対応する光学モジュールとの間の距離を調整するように構成される、
ことを特徴とする請求項１に記載のヘッドマウントディスプレイデバイス。
【請求項７】
自己適応ディスプレイ調整方法であって、
二組の表示モジュールを含む電子装置に適用し、表示モジュールのそれぞれは、マイクロディスプレイデバイスと、マイクロディスプレイデバイスに接続する光学モジュールとを含み、前記自己適応ディスプレイ調整方法は、
ユーザの瞳孔間距離を検出して瞳孔間距離の調整パラメータを生成することと、
前記瞳孔間距離の調整パラメータによって駆動信号を生成し、二組の表示モジュールの間の距離を調整することと、
二組の表示モジュールの間の距離を調整した後にユーザの特徴を検出し、検出したユーザの特徴によってアクティブ信号を動作させることと、
前記アクティブ信号に応じて前記ユーザの特徴を含む調整記録があるか否かを判断し、対応する調整記録がある場合、クエリ要求を動作させることと、
前記クエリ要求に応じて対応する調整記録を問い合わせ、対応する調整パラメータを取得することと、
取得した調整パラメータによって駆動信号を生成し、前記マイクロディスプレイデバイスとそれに対応する光学モジュールとの間の距離を調整することと、を含み、
前記調整記録は、ジオプトリー及び／又は瞳孔間距離に対応する調整パラメータ、および前記ユーザの特徴を含むユーザの特徴情報を含む、
ことを特徴とする自己適応ディスプレイ調整方法。
【請求項８】
対応する調整記録がないと判断した場合、新しい調整記録を獲得することを
特徴とする請求項７に記載の方法。
【請求項９】
前記ユーザの特徴情報は、ユーザ識別及び／又は音声記録及び／又は指紋記録及び／又は顔記録及び／又は虹彩記録を含むことを
特徴とする請求項７に記載の方法。
【請求項１０】
前記新しい調整記録を獲得することは、その時点での前記マイクロディスプレイデバイスとそれに対応する光学モジュールとの間の距離及び／又は二組の表示モジュールの間の距離を獲得し、調整パラメータに変換することを含む、
ことを特徴とする請求項８に記載の方法。
【請求項１１】
前記新しい調整記録を保存することをさらに含む、
ことを特徴とする請求項１０に記載の方法。
【請求項１２】
前記方法は、クエリ要求に応じてジオプトリーに対応する調整記録を問い合わせ、対応する調整パラメータを取得することと、
取得した調整パラメータによって駆動信号を生成し、前記マイクロディスプレイデバイスとそれに対応する光学モジュールとの間の距離を調整することと、を含む、
ことを特徴とする請求項７に記載の方法。
【発明の詳細な説明】
【技術分野】
【０００１】
本発明はディスプレイ調整技術に関し、特に自己適応ディスプレイ調整方法及び該ディスプレイ調整方法を有するヘッドマウントディスプレイデバイスに関する。
【背景技術】
【０００２】
ヘッドマウントディスプレイデバイスは、ビデオ眼鏡、眼鏡ディスプレイ、ホームシアターとも呼ばれている。ヘッドマウントディスプレイデバイスは、３Ｄ動画などを含むマルチメディアファイルを再生することを実現できる。近眼表示技術を利用して没入型のシアター効果を実現し、ポータブルなホームシアターの概念を製品化とする。
【０００３】
しかし、人それぞれ視力が異なるため、近視、遠視、老眼などの問題により、該ヘッドマウントディスプレイデバイスを最適に体験することができません。そのため、従来技術は、手動調整機構を設け、ユーザが自分でジオプトリー又は瞳孔間距離を調整することができるディスプレイ調整形態を提供する。しかし、該形態において、手動調整機構は、誤操作またはタッチにより、容易に調整変動をもたらし、または他のユーザの着用により調整変動をもたらす。ユーザは、再び使用する時、繰り返し手動で調整する必要があり、製品の使用に不都合を感じる。
【０００４】
これによって、前記技術問題を効果的に解決するヘッドマウントディスプレイデバイスを提供する必要があり、製品のディスプレイ調整の使いやすさを向上させる。
【発明の概要】
【０００５】
本発明の実施形態によるヘッドマウントディスプレイデバイスは、記憶ユニットと、表示ユニットと、取得ユニットと、調整ユニットとを含む。
【０００６】
記憶ユニットは調整記録を記憶するように構成される。調整記録は、ジオプトリー及び／又は瞳孔間距離に対応する調整パラメータを含む。
【０００７】
表示ユニットは、二組の表示モジュールを備え、各表示モジュールは、マイクロディスプレイデバイスと、マイクロディスプレイデバイスに接続する光学モジュールとを含む。
【０００８】
取得ユニットは、クエリ要求に応じて記憶ユニットに対応する調整記録を問い合わせ、対応する調整パラメータを取得するように構成される。
【０００９】
調整ユニットは、調整パラメータによって駆動信号を生成し、マイクロディスプレイデバイスとそれに対応する光学モジュールとの間の距離及び／又は二組の表示モジュールの間の距離を調整するように構成される。
【００１０】
本発明は自己適応ディスプレイ調整方法をさらに提供し、該方法は二組の表示モジュールを含む電子装置に適用する。表示モジュールのそれぞれは、マイクロディスプレイデバイスと、マイクロディスプレイデバイスに接続する光学モジュールと、を含む。
【００１１】
該方法は、クエリ要求に応じて対応する調整記録を問い合わせ、対応する調整パラメータを取得することと、調整パラメータによって駆動信号を生成し、マイクロディスプレイデバイスとそれに対応する光学モジュールとの間の距離及び／又は二組の表示モジュールの間の距離を調整することと、を備え、該調整記録は、ジオプトリー及び／又は瞳孔間距離に対応する調整パラメータを含む。
【００１２】
本発明の実施例によるヘッドマウントディスプレイデバイス及び自己適応ディスプレイ調整方法は、調整記録においてジオプトリー及び／又は瞳孔間距離に対応する調整パラメータを取得することによって、マイクロディスプレイデバイスとそれに対応する光学モジュールとの間の距離及び／又は二組の表示モジュールの間の距離の調整を自動的に駆動して、ヘッドマウントディスプレイデバイスの自己適応ディスプレイ調整を実現し、異なるユーザの視覚要求に適応するインテリジェントな調整形態を提供する。
【００１３】
以下、添付の図面は具体的な実施形態と共に、本発明を詳しく説明するためのものである。添付図面に示される各要素は、実際のサイズ及び縮尺比を表するものではないと理解されるべきである。概略図は説明を明瞭にするために示されるのであって、本発明を制限するものと理解されてはならない。
【図面の簡単な説明】
【００１４】
【図１】図１は、本発明の第一実施例によるヘッドマウントディスプレイデバイスのブロック図である。
【図２】図２は、本発明の第二実施例によるヘッドマウントディスプレイデバイスのブロック図である。
【図３】図３は、本発明の第三実施例によるヘッドマウントディスプレイデバイスのブロック図である。
【図４】図４は、本発明の第四実施例による自己適応ディスプレイ調整方法のフロー図である。
【図５】図５は、本発明の第五実施例による自己適応ディスプレイ調整方法のフロー図である。
【図６】図６は、本発明の第六実施例による自己適応ディスプレイ調整方法のフロー図である。
【発明を実施するための形態】
【００１５】
本発明の目的、技術手段及び利点を一層明瞭にするために、以下に、若干の実施形態及び図面を参照しながら、本発明を一層詳しく説明する。ここで記載される実施形態は、本発明を説明するためのものだけであるが、本発明を制限するものではないと理解される。
【００１６】
図１は、本発明の第一実施例によるヘッドマウントディスプレイデバイスのブロック図であり、該ヘッドマウントディスプレイデバイス１０は、調整記録を記憶するように構成される記憶ユニット１１と、表示ユニット１２と、取得ユニット１３と、調整ユニット１４とを含む。調整記録は、ジオプトリー及び／又は瞳孔間距離に対応する調整パラメータを含む。
【００１７】
具体的に、調整記録は、ヘッドマウントディスプレイデバイス１０の具体的な機構配置によってジオプトリー及び／又は瞳孔間距離の調整を柔軟に提供する。すなわち、ヘッドマウントディスプレイデバイス１０は、ジオプトリーの調整、瞳孔間距離の調整、または両者の調整を提供することができる。それに応じて、調整記録は、ジオプトリーの調整パラメータ、または瞳孔間距離の調整パラメータ、またはジオプトリーの調整パラメータ及び瞳孔間距離の調整パラメータを含む。該調整記録は、予め記憶された固定記録であってもよく、例えば、調整記録は、異なるジオプトリー及び／又は瞳孔間距離に対応する調整パラメータを含むことができるため、ユーザは自分のジオプトリー及び／又は瞳孔間距離に応じて調整記録における対応のジオプトリー及び／又は瞳孔間距離を選択することができる。これにより、調整ユニット１４は、該ジオプトリー及び／又は瞳孔間距離に対応する調整パラメータによって自動的に表示ユニット１２を調整することができ、ユーザの要求に適合する最適な表示効果を提供することができる。ユーザの選択形態は、ユーザがヘッドマウントディスプレイデバイス１０によって表示し出力するすべての調整記録を選択し操作する形態であってもよく、ユーザがジオプトリー及び／又は瞳孔間距離を直接に入力する形態であってもよいことが理解されるべきである。好ましくは、該調整記録は、動的に構築される拡張可能な記録であってもよい。例えば、前記選択形態、又はヘッドマウントディスプレイデバイスがその時点で着用しているユーザのジオプトリー及び／又は瞳孔間距離を自動的に検出することによって、該ユーザに対応する調整記録を構築することができ、記憶ユニット１１に記憶され得る。これによって、該ユーザは、該ヘッドマウントディスプレイデバイスを使用する時、ユーザに自動的に合わせてその調整記録を取得し、自動的に適応することができる。そのため、同一のヘッドマウントディスプレイデバイスでは、ユーザが該デバイスを使用する度に設置操作を繰り返し行う必要がなく、異なるユーザの間で使用される時の自己適応を実現することができる。好ましくは、該記憶ユニットは、ヘッドマウントディスプレイデバイスの物理的な記憶に制限されず、ネット接続によって構築するクラウドストレージ形態であってもよい。それにより、ユーザが異なるヘッドマウントディスプレイデバイスを使用する時、クラウドストレージからユーザに対応する調整記録を自動的に獲得し、自己適応を実現する。
【００１８】
表示ユニット１２は、二組の表示モジュール１２０を備え、各表示モジュール１２０は、マイクロディスプレイデバイス１２１と、マイクロディスプレイデバイス１２１を接続する光学モジュール１２２とを含む。
【００１９】
具体的に、二組の表示モジュール１２０は、ユーザが両眼で見る表示内容をそれぞれに提供するように構成される。マイクロディスプレイデバイス１２１は、対応の光学モジュール１２２に可動的に接続され、二組の表示モジュール１２０のマイクロディスプレイデバイス１２１が生成する映像は、それぞれに対応する光学モジュール１２２によって、所定の方向に向いてユーザの両眼に投射する。そのため、ユーザはマイクロディスプレイデバイス１２１の表示内容の拡大虚像を見ることができる。
【００２０】
取得ユニット１３は、クエリ要求に応じて記憶ユニット１１に対応する調整記録を問い合わせ、対応する調整パラメータを取得するように構成される。
【００２１】
調整ユニット１４は、調整パラメータによって駆動信号を生成し、マイクロディスプレイデバイス１２１とそれに対応する光学モジュール１２２との間の距離及び／又は二組の表示モジュール１２０の間の距離を調整するように構成される。
【００２２】
具体的に、調整ユニット１４は調整パラメータによって二組の表示モジュール１２０の間の距離の変更を駆動し、瞳孔間距離の調整を実現することができる。二組の表示モジュール１２０のマイクロディスプレイデバイス１２１とそれに対応する光学モジュール１２２との間の距離の変更をそれぞれに駆動することによって、二組の表示モジュール１２０のジオプトリー調整をそれぞれに実現する。該実施例において、動力源としてのモーターによって調整ユニット１４の駆動を実現することができる。モーターの動力駆動の原理は従来技術に属するため、詳しい説明がここで省略される。
【００２３】
本発明の第一実施例によるヘッドマウントディスプレイデバイス１０は、調整記録からジオプトリー及び／又は瞳孔間距離に対応する調整パラメータを取得することによって、マイクロディスプレイデバイス１２１とそれに対応する光学モジュール１２２との間の距離及び／又は二組の表示モジュール１２０の間の距離の調整を自動的に駆動して、ヘッドマウントディスプレイデバイス１０の自己適応ディスプレイ調整を実現し、異なるユーザの視覚要求に適応するインテリジェントな調整形態を提供する。
【００２４】
図２は、本発明の第二実施例によるヘッドマウントディスプレイデバイスのブロック図である。該ヘッドマウントディスプレイデバイス２０は、第一実施例のヘッドマウントディスプレイデバイス１０に基づいて、検出ユニット２１と、判断ユニット２２と、獲得ユニット２３と、保存ユニット２４とをさらに含む。検出ユニット２１は、ユーザの特徴を検出し、検出したユーザの特徴によってアクティブ信号を動作させるように構成される。判断ユニット２２は、アクティブ信号に応じて記憶ユニット１１において対応する調整記録があるか否かを判断し、記憶ユニット１１において対応する調整記録がある場合、クエリ要求を動作させ、記憶ユニット１１において対応する調整記録がない場合、獲得ユニット２３を動作させるように構成される。
【００２５】
該実施形態において、調整記録は、ユーザの特徴情報をさらに含む。判断ユニット２２は、ユーザの特徴によって記憶ユニット１１において該ユーザの特徴を有するユーザの特徴情報があるか否かを判断する。ユーザの特徴情報は、ユーザ識別及び／又は音声記録及び／又は指紋記録及び／又は顔記録及び／又は虹彩記録を含むがこれらに限定されない。そのため、ユーザは該ヘッドマウントディスプレイデバイス２０を着用した後、ユーザが、例えば、ユーザの名前などのユーザ識別を出力または選択して、調整パラメータを自動的に取得することを実現し、自己適応の調整を実現することに限定されず、指紋識別装置、顔識別装置、虹彩識別装置などを設けることによって、関連するユーザの調整記録に合わせることを実現し、ユーザの如何なる操作が必要なく、調整パラメータを取得して自己適応の調整を実現する。
【００２６】
獲得ユニット２３は、新しい調整記録を獲得するように構成される。
【００２７】
該実施形態において、ユーザは着用した後、マイクロディスプレイデバイス１２１とそれに対応する光学モジュール１２２との間の距離及び／又は二組の表示モジュール１２０の間の距離を手動で調整することができる。最適な表示効果を調整した時、獲得ユニット２３はその時点でのマイクロディスプレイデバイス１２１とそれに対応する光学モジュール１２２との間の距離及び／又は二組の表示モジュール１２０の間の距離を、調整パラメータに変換することができる。他の実施形態において、センサなどを設けることによってユーザのジオプトリー及び／又は瞳孔間距離を自動的に識別することができるため、調整パラメータに変換することができる。該センサの識別技術は従来技術であるため、詳しい説明がここで省略される。
【００２８】
保存ユニット２４は、新しい調整記録を記憶ユニット１１に保存するように構成される。
【００２９】
前記獲得するユーザの調整パラメータによって、例えば、ユーザの名前、音声記録及び／又は指紋記録及び／又は顔記録及び／又は虹彩記録及び調整パラメータを含み得るユーザの調整記録を構築する。
【００３０】
本発明の第二実施例によるヘッドマウントディスプレイデバイス２０は、ユーザの特徴を検出することによって関連のユーザの記録を自動的に合わせることをさらに提供し、ヘッドマウントディスプレイデバイスが瞳孔間距離、ジオプトリーを自動的に適応に調整することを実現する。
【００３１】
本発明の第三実施例によるヘッドマウントディスプレイデバイス３０は、前記ヘッドマウントディスプレイデバイス１０、２０に基づいて、ユーザの瞳孔間距離を検出して瞳孔間距離の調整パラメータを生成するように構成される瞳孔検出ユニット３１をさらに含む。調整ユニット１４は、瞳孔検出ユニット３１の瞳孔間距離の調整パラメータによって、駆動信号を生成し、二組の表示モジュール１２０の間の距離を調整することに用いられる。調整ユニット１４は、更に取得ユニット１３がジオプトリーの調整パラメータを取得することによって駆動信号を生成し、マイクロディスプレイデバイス１２１とそれに対応する光学モジュール１２２との間の距離を調整することに用いられる。
【００３２】
本発明の第三実施例によるヘッドマウントディスプレイデバイス３０は、瞳孔検出ユニット３１をさらに備え、瞳孔間距離の自動的検出及び調整を実現し、さらなるインテリジェントな自己適応ディスプレイ調整を提供する。
【００３３】
図４は、本発明の第四実施例による自己適応ディスプレイ調整方法のフロー図である。該方法は、二組の表示モジュールを含む電子装置に応用することができる。各表示モジュールは、マイクロディスプレイデバイス及びマイクロディスプレイデバイスに接続する光学モジュールを含む。該電子装置は、ヘッドマウントビデオプレーヤ、ヘッドマウントゲーム装置、ヘッドマウントナビゲーション装置または医療用表示装置などを含むがこれらに限定されない。
【００３４】
該方法４００は、以下のステップを含む。
ステップＳ４０１において、クエリ要求に応じて対応する調整記録を問い合わせ、対応する調整パラメータを取得する。該調整記録は、ジオプトリー及び／又は瞳孔間距離に対応する調整パラメータを含む。
ステップ４０２において、調整パラメータによって駆動信号を生成し、マイクロディスプレイデバイスとそれに対応する光学モジュールとの間の距離及び／又は二組の表示モジュールの間の距離を調整する。
【００３５】
本発明の第四実施例による自己適応ディスプレイ調整方法は、調整記録からジオプトリー及び／又は瞳孔間距離に対応する調整パラメータを取得することによって、マイクロディスプレイデバイスとそれに対応する光学モジュールとの間の距離及び／又は二組の表示モジュールの間の距離の調整を自動的に駆動して、自己適応ディスプレイ調整を実現し、異なるユーザの視覚要求に適応するインテリジェントな調整形態を提供する。
【００３６】
図５は、本発明の第五実施例による自己適応ディスプレイ調整方法のフロー図である。該方法５００は、以下のステップを含む。
【００３７】
ステップＳ５０１において、ユーザの特徴を検出して、検出したユーザの特徴によってアクティブ信号を動作させる。
好ましい実施形態において、例えば音声識別装置及び／又は指紋識別装置及び／又は顔識別装置及び／又は虹彩識別装置などのセンサを設けることによって、前記実施例におけるステップＳ４０１を自動的に動作させるスタートステップとしてユーザを自動的に識別する。そのため、ユーザは如何なる操作も実行せずにユーザに対応する調整記録を自動的に取得することができる。そこで、音声識別装置は、マイクによってユーザが発する音声を録音することができる。それに応じて、調整記録は、予め設定された音声記録を含み、該録音した音声に合わせる音声記録によって、該音声記録を含む調整記録を検索することを実現する。具体的に、音声記録は、ユーザが自分の調整記録を作成する時、録音した音声であってもよく、該音声は、ユーザの名前、ニックネームなどの如何なる音声情報であってもよい。音声記録は、異なるジオプトリー及び／又は瞳孔間距離に対応する音声であってもよい。それにより、ユーザは所望のジオプトリー及び／又は瞳孔間距離を直接言うことができ、音声識別装置は、ジオプトリー及び／又は瞳孔間距離の音声を録音することによって、該音声に合わせる音声記録があるか否かを検索する。該実施形態において、調整記録は、音声記録及び調整パラメータを含むことができる。具体的に、音声記録は、ジオプトリーの音声記録及び／又は瞳孔間距離の音声記録を含むことができる。顔識別装置は、カメラによって、その時点での着用しているユーザの顔画像を撮ることができる。それに応じて、調整記録に含まれる顔の記録は、該ユーザが予め記憶された顔画像、顔画像特徴であってもよい。調整記録における顔の記録と比較することによって、顔の記録に対応する調整記録を探し出せる。
【００３８】
ステップＳ５０２において、アクティブ信号に応じて対応の調整記録があるか否かを判断し、対応の調整記録がある場合、ステップＳ５０３に進み、対応の調整記録がない場合、ステップＳ５０５に進む。
具体的に、調整記録は、ユーザの特徴情報を含むことができ、ユーザの特徴情報は、ユーザ識別及び／又は音声記録及び／又は指紋記録及び／又は顔記録及び／又は虹彩記録を含むがこれらに限定されない。アクティブ信号は、ステップＳ５０１が検出したユーザの特徴を含むことができる。それに応じて、ステップＳ５０２は、具体的に、ステップＳ５０１で検出したユーザの特徴によってユーザの特徴を含むユーザの特徴情報があるか否かを判断することを含む。
【００３９】
ステップＳ５０３において、クエリ要求を動作させる。
クエリ要求に応じて対応の調整記録を問い合わせ、対応の調整パラメータを取得する。調整記録は、ジオプトリー及び／又は瞳孔間距離に対応する調整パラメータを含む。
【００４０】
ステップＳ５０４において、調整パラメータによって駆動信号を生成し、マイクロディスプレイデバイスとそれに対応する光学モジュールとの間の距離及び二組の表示モジュールの間の距離を調整する。
【００４１】
ステップＳ５０５において、新しい調整記録を獲得する。
具体的に、ステップＳ５０５は、その時点でのマイクロディスプレイデバイスとそれに対応する光学モジュールとの間の距離及び／又は二組の表示モジュールの間の距離を獲得し、調整パラメータに変換することを含む。
【００４２】
ステップＳ５０６において、新しい調整記録を保存する。
【００４３】
図６は、本発明の第六実施例による自己適応ディスプレイ調整方法のフロー図である。該方法６００は、以下のステップを含む。
【００４４】
ステップＳ６０１において、ユーザの瞳孔間距離を検出し、瞳孔間距離の調整パラメータを生成する。
【００４５】
ステップＳ６０２において、瞳孔間距離の調整パラメータによって駆動信号を生成し、二組の表示モジュールの間の距離を調整する。
【００４６】
ステップＳ６０３において、ユーザの特徴を検出して、検出したユーザの特徴によってアクティブ信号を動作させる。
【００４７】
ステップＳ６０４において、アクティブ信号に応じて対応の調整記録があるか否かを判断する。
具体的に、調整記録は、ユーザの特徴情報をさらに含むことができ、ユーザの特徴情報は、ユーザ識別及び／又は指紋記録及び／又は顔記録及び／又は虹彩記録を含むがこれらに限定されない。それに応じて、ステップＳ６０４は、ステップＳ６０３が検出したユーザの特徴によってユーザの特徴を含むユーザの特徴情報があるか否かを判断し、ユーザの特徴を含むユーザの特徴情報がある場合、所望の調整記録が存在することを含む。
【００４８】
ステップＳ６０５において、クエリ要求を動作させる。
該実施例において、クエリ要求は、ステップＳ６０４が確認した所望の調整記録に対するジオプトリークエリ要求である。所望の調整記録を問い合わせ、該調整記録に対応するジオプトリー調整パラメータを取得する。
【００４９】
ステップＳ６０６において、新しい調整記録を獲得する。
具体的に、ステップＳ６０６は、その時点でのマイクロディスプレイデバイスとそれに対応する光学モジュールとの間の距離を獲得し、調整パラメータに変換することを含む。
【００５０】
ステップＳ６０７において、新しい調整記録を保存する。
【００５１】
ステップＳ６０８において、調整パラメータによって駆動信号を生成し、マイクロディスプレイデバイスとそれに対応する光学モジュールとの間の距離を調整する。
【００５２】
本発明の自己適応ディスプレイ調整方法は、前記ステップ順番に限定されず、当業者が前記実施例の原理についての説明によって、以下の順番をさらに含むことが理解されるべきである。Ｓ５０１→Ｓ５０２→Ｓ５０２で判断結果は対応の調整記録がある場合にＳ５０３→Ｓ５０４を実行し、Ｓ５０２で判断結果は対応の調整記録がない場合にステップＳ６０１→Ｓ６０２→Ｓ６０６→Ｓ６０８を実行する。好ましくは、Ｓ６０８とＳ６０７と同期に実行してもよく別々に実行してもよい。
【００５３】
第四〜第六実施例の方法は、前記ヘッドマウントディスプレイデバイスの対応の特徴に対応して、それらの具体的な原理は、第一〜第三実施例の原理を参照することができるため、詳しい説明がここで省略される。
【００５４】
以上は、本発明の好適な実施方式に過ぎなく、本発明を制限するためのものではない。本発明の精神及び要旨を逸脱しない場合行われる変更、均等置換及び改良などは、いずれも本発明の範囲に属するものである。
【図１】
0006533596.tif 000002
【図２】
0006533596.tif 000003
【図３】
0006533596.tif 000004
【図４】
0006533596.tif 000005
【図５】
0006533596.tif 000006
【図６】
0006533596.tif 000007